【手続補正書】
【提出日】平成16年11月4日(2004.11.4)
【手続補正１】
【補正対象書類名】明細書
【補正対象項目名】特許請求の範囲
【補正方法】変更
【補正の内容】
【特許請求の範囲】
【請求項１】
下記式（１）乃至（３）で表されるアントラキノン系造塩染料の少なくとも１つ、
並びに、
下記式（５）で表されるペリノン系赤色染顔料、下記式（６）で表されるアントラピリドン系赤色造塩染料、及び下記式（７）で表される黄色乃至赤色のモノアゾ含金染料の少なくとも１つ
を含有してなるレーザー光透過性着色樹脂組成物用黒色着色剤。
【化１】
2002228830.tif 000001
・・・（１）
［式（１）中、
Ｒ２、Ｒ３、及びＲ５は、互いに独立的に、水素、又は
【化２】
2002228830.tif 000002
・・・・（１−ａ）
を示し、
Ｒ１及びＲ４は、互いに独立的に、水素、アルキル基、アルケニル基、アルコキシ基、アミノ基、水酸基、ハロゲン、又はスルホン酸基を示し、
Ｘ１は、Ｏ又はＮＨを示し、
Ｒ６、Ｒ７、Ｒ８、Ｒ９、Ｒ１０、及びＲ１１は、互いに独立的に、水素、アルキル基、アルケニル基、アルコキシ基、アミノ基、水酸基、又はハロゲンを示し、
［ｌ］ｂ＋は、脂肪族ジアミン誘導体、ロジンアミン誘導体、グアニジン誘導体、芳香族アミン誘導体、及び芳香族ジアミン誘導体からなる群から選ばれた少なくとも１つのアミンに起因するカチオン又は４級有機アンモニウムイオンを示し、
ｎ１は０乃至４の整数を示し、
ｎ３は０乃至４の整数を示し、
ｍ１は１乃至６の整数を示し、
ａは１乃至４の整数を示し、
ｂは１又は２を示し、
Ｋ２は１乃至６の整数を示す。］
【化３】
2002228830.tif 000003
・・・（２）
［式（２）中、
Ｒ４７、Ｒ４８、Ｒ４９、Ｒ５０、Ｒ５１、及びＲ５２は、互いに独立的に、水素、アルキル基、アリール基、アルケニル基、アルコキシ基、アミノ基、Ｎ−アルキルアミド基、Ｎ−アリールアミド基、水酸基、ハロゲン、アシル基、アシルオキシ基、アシルアミド基、アシル−Ｎ−アルキルアミド基、カルボキシル基、アルコキシルカルボニル基、又はスルホン酸基を示し、Ｒ４７乃至Ｒ５２の少なくとも１つはスルホン酸基を示すものであり、
結合子Ｊは、下記式（２−ａ）又は（２−ｂ）を示し、
【化４】
2002228830.tif 000004
・・・（２−ａ）
又は
【化５】
2002228830.tif 000005
・・・（２−ｂ）
（Ｆ）ｈ＋は、脂肪族ジアミン誘導体、ロジンアミン誘導体、グアニジン誘導体、芳香族アミン誘導体、及び芳香族ジアミン誘導体からなる群から選ばれた少なくとも１つのアミンに起因するカチオン又は４級有機アンモニウムイオンを示し、
ｍ４は１乃至６の整数を示し、
ｈは１又は２を示し、
Ｋ３は１乃至６の整数を示し、
前記Ｒ５３及びＲ５４は、互いに独立的に、水素又はアルキル基を示す。］
【化６】
2002228830.tif 000006
・・・（３）
［式（３）中、
Ｒ５８、Ｒ５９、及びＲ６０は、互いに独立的に、水素、アルキル基、アルケニル基、アルコキシ基、アミノ基、水酸基、ハロゲン、シクロヘキシルアミド基、又はスルホン酸基を示し、
Ｘ２は、Ｏ又はＮＨを示し、
Ｒ５５、Ｒ５６、及びＲ５７は、互いに独立的に、水素、アルキル基、アリール基、アルケニル基、アルコキシ基、アミノ基、Ｎ−アルキルアミド基、Ｎ−アリールアミド基、水酸基、ハロゲン、シアノ、アシル基、アシルオキシ基、アシルアミド基、アシル−Ｎ−アルキルアミド基、カルボキシル基、アルコキシルカルボニル基、又はスルホン酸基を示し、
［ｔ］Ｚ＋は、脂肪族ジアミン誘導体、ロジンアミン誘導体、グアニジン誘導体、芳香族アミン誘導体、及び芳香族ジアミン誘導体からなる群から選ばれた少なくとも１つのアミンに起因するカチオン又は４級有機アンモニウムイオンを示し、
ｍ２は１乃至６の整数を示し、
ｙは１乃至４の整数を示し、
Ｚは１又は２を示し、
Ｋ４は１乃至６の整数を示す。］
【化８２】
2002228830.tif 000007
・・・（５）
［式（５）中、
ｍ３は１又は２を示し、
Ａ及びＢは、互いに独立的に、次式（５−ａ）乃至（５−ｃ）の何れかを示し、
【化８３】
2002228830.tif 000008
・・・（５−ａ）
【化８４】
2002228830.tif 000009
・・・（５−ｂ）
【化８５】
2002228830.tif 000010
・・・（５−ｃ）
［式（５−ａ）乃至（５−ｃ）中、Ｒ１２乃至Ｒ２７は、互いに独立的に、水素、ハロゲン、アルキル基、アルコキシ基、アラルキル基、又はアリール基を示す。］
【化８６】
2002228830.tif 000011
・・・（６）
［式（６）中、
Ｒ６８、Ｒ６９、Ｒ７０、及びＲ７１は、互いに独立的に、水素、アルキル基、アリール基、アルケニル基、アルコキシ基、アミノ基、水酸基、ハロゲン、アシル基、アシルオキシ基、アシルアミド基、アシル−Ｎ−アルキルアミド基、カルボキシル基、アルコキシルカルボニル基、シクロヘキシルアミド基、スルホン酸基、又は
【化８７】
2002228830.tif 000012
・・・（６−ａ）
を示し、Ｒ６８乃至Ｒ７１の少なくとも１つはスルホン酸基を示すものであり、
Ｒ６７は、水素、アルキル基、アルコキシ基、アミノ基、水酸基、又はハロゲンを示し、
Ｐ１は、Ｃ−Ｒ７２又はＮを示し、
Ｒ７２は、水素、アルキル基、アリール基、アルコキシ基、アミノ基、水酸基、ハロゲン、カルボキシル基、置換若しくは非置換のアリール基、置換若しくは非置換のアラルキル基、又は置換若しくは非置換のベンゾイル基を示し、
（Ｇ）Ｓ＋は、脂肪族ジアミン誘導体、ロジンアミン誘導体、グアニジン誘導体、芳香族アミン誘導体、及び芳香族ジアミン誘導体からなる群から選ばれた少なくとも１つのアミンに起因するカチオン又は４級有機アンモニウムイオンを示し、
Ｓは１又は２を示し、
ｍ５は１乃至４の整数を示し、
Ｋ５は１又は２を示し、
前記Ｐ２は、Ｏ又はＮＨを示し、
前記Ｒ７３、Ｒ７４、及びＲ７５は、互いに独立的に、水素、アルキル基、アリール基、アルケニル基、アルコキシ基、アミノ基、水酸基、ハロゲン、アシル基、アシルオキシ基、アシルアミド基、アシル−Ｎ−アルキルアミド基、カルボキシル基、アルコキシルカルボニル基、シクロヘキシルアミド基、又はスルホン酸基を示す。］
【化８８】
2002228830.tif 000013
・・・（７）
［式（７）中、
Ｋ１は、０、１又は２を示し、
（Ｄ）ｒ＋は、水素イオン、アルカリ金属に起因するカチオン、アンモニウムイオン、有機アミンに基づくカチオン、又は第４級有機アンモニウムイオンを示し、
ｍ４は、０、１又は２を示し、
ｒは、１又は２を示し、
Ｘは、１又は２を示し、
Ｌ１及びＬ３は、互いに独立的に、Ｏ又はＣＯＯを示し、
Ｌ２及びＬ４は、Ｏを示し、
Ｍ１は、２乃至４価の金属を示し、
Ｒ２８及びＲ２９は、互いに独立的に、水素、Ｃｌ、ＳＯ２Ｒ３０、又は
【化８９】
2002228830.tif 000014
を示し、
前記Ｒ３０は、直鎖又は分岐鎖のアルキル基を示し、
前記Ｒ３１及びＲ３２は、互いに独立的に、水素、又は直鎖若しくは分岐鎖のアルキル基を示し、
Ｂ１及びＢ２は、互いに独立的に、
【化９０】
2002228830.tif 000015
・・・（８）
又は
【化９１】
2002228830.tif 000016
・・・（９）
を示し、
前記Ｒ３３及びＲ３５は、互いに独立的に、水素、Ｃｌ、ＳＯ２Ｒ３７、又は
【化９２】
2002228830.tif 000017
を示し、
前記Ｒ３７は、直鎖又は分岐鎖のアルキル基を示し、
前記Ｒ３８及びＲ３９は、互いに独立的に、水素、又は直鎖若しくは分岐鎖のアルキル基を示し、
前記Ｒ３４及びＲ３６は、互いに独立的に、水素、直鎖若しくは分岐鎖のアルキル基、カルボキシル基、ヒドロキシ基、アルコキシ基、アミノ基、又はハロゲンを示す。］
【請求項２】
下記式（１）乃至（３）で表されるアントラキノン系造塩染料の少なくとも１つ、及び、下記骨格（ｆ１）、（ｆ２）又は（ｆ３）を有するアントラキノン系黄色染料を含有してなるレーザー光透過性着色樹脂組成物用黒色着色剤。
【化９３】
2002228830.tif 000018
・・・（１）
［式（１）中、
Ｒ２、Ｒ３、及びＲ５は、互いに独立的に、水素、又は
【化９４】
2002228830.tif 000019
・・・・（１−ａ）
を示し、
Ｒ１及びＲ４は、互いに独立的に、水素、アルキル基、アルケニル基、アルコキシ基、アミノ基、水酸基、ハロゲン、又はスルホン酸基を示し、
Ｘ１は、Ｏ又はＮＨを示し、
Ｒ６、Ｒ７、Ｒ８、Ｒ９、Ｒ１０、及びＲ１１は、互いに独立的に、水素、アルキル基、アルケニル基、アルコキシ基、アミノ基、水酸基、又はハロゲンを示し、
［ｌ］ｂ＋は、脂肪族ジアミン誘導体、ロジンアミン誘導体、グアニジン誘導体、芳香族アミン誘導体、及び芳香族ジアミン誘導体からなる群から選ばれた少なくとも１つのアミンに起因するカチオン又は４級有機アンモニウムイオンを示し、
ｎ１は０乃至４の整数を示し、
ｎ３は０乃至４の整数を示し、
ｍ１は１乃至６の整数を示し、
ａは１乃至４の整数を示し、
ｂは１又は２を示し、
Ｋ２は１乃至６の整数を示す。］
【化９５】
2002228830.tif 000020
・・・（２）
［式（２）中、
Ｒ４７、Ｒ４８、Ｒ４９、Ｒ５０、Ｒ５１、及びＲ５２は、互いに独立的に、水素、アルキル基、アリール基、アルケニル基、アルコキシ基、アミノ基、Ｎ−アルキルアミド基、Ｎ−アリールアミド基、水酸基、ハロゲン、アシル基、アシルオキシ基、アシルアミド基、アシル−Ｎ−アルキルアミド基、カルボキシル基、アルコキシルカルボニル基、又はスルホン酸基を示し、Ｒ４７乃至Ｒ５２の少なくとも１つはスルホン酸基を示すものであり、
結合子Ｊは、下記式（２−ａ）又は（２−ｂ）を示し、
【化９６】
2002228830.tif 000021
・・・（２−ａ）
又は
【化９７】
2002228830.tif 000022
・・・（２−ｂ）
（Ｆ）ｈ＋は、脂肪族ジアミン誘導体、ロジンアミン誘導体、グアニジン誘導体、芳香族アミン誘導体、及び芳香族ジアミン誘導体からなる群から選ばれた少なくとも１つのアミンに起因するカチオン又は４級有機アンモニウムイオンを示し、
ｍ４は１乃至６の整数を示し、
ｈは１又は２を示し、
Ｋ３は１乃至６の整数を示し、
前記Ｒ５３及びＲ５４は、互いに独立的に、水素又はアルキル基を示す。］
【化９８】
2002228830.tif 000023
・・・（３）
［式（３）中、
Ｒ５８、Ｒ５９、及びＲ６０は、互いに独立的に、水素、アルキル基、アルケニル基、アルコキシ基、アミノ基、水酸基、ハロゲン、シクロヘキシルアミド基、又はスルホン酸基を示し、
Ｘ２は、Ｏ又はＮＨを示し、
Ｒ５５、Ｒ５６、及びＲ５７は、互いに独立的に、水素、アルキル基、アリール基、アルケニル基、アルコキシ基、アミノ基、Ｎ−アルキルアミド基、Ｎ−アリールアミド基、水酸基、ハロゲン、シアノ、アシル基、アシルオキシ基、アシルアミド基、アシル−Ｎ−アルキルアミド基、カルボキシル基、アルコキシルカルボニル基、又はスルホン酸基を示し、
［ｔ］Ｚ＋は、脂肪族ジアミン誘導体、ロジンアミン誘導体、グアニジン誘導体、芳香族アミン誘導体、及び芳香族ジアミン誘導体からなる群から選ばれた少なくとも１つのアミンに起因するカチオン又は４級有機アンモニウムイオンを示し、
ｍ２は１乃至６の整数を示し、
ｙは１乃至４の整数を示し、
Ｚは１又は２を示し、
Ｋ４は１乃至６の整数を示す。］
【化９９】
2002228830.tif 000024
・・・（ｆ１）
【化１００】
2002228830.tif 000025
・・・（ｆ２）
【化１０１】
2002228830.tif 000026
・・・（ｆ３）
［前記（ｆ１）、（ｆ２）又は（ｆ３）の何れの式中においても、フェニル基は置換基を有するものであってもよく、その置換基同士が環状を形成しているものであってもよい。］
【請求項３】
下記骨格（ｆ１）、（ｆ２）又は（ｆ３）を有するアントラキノン系黄色染料を更に含有する請求項１記載のレーザー光透過性着色樹脂組成物用黒色着色剤。
【化１０２】
2002228830.tif 000027
2002228830.tif 000028
・・・（ｆ１）
【化１０３】
・・・（ｆ２）
【化１０４】
2002228830.tif 000029
・・・（ｆ３）
［前記（ｆ１）、（ｆ２）及び（ｆ３）の何れの式中においても、フェニル基は置換基を有するものであってもよく、その置換基同士が環状を形成しているものであってもよい。］
【請求項４】
上記式（１）乃至（３）で表されるアントラキノン系造塩染料の少なくとも１つ、及び上記式（７）で表されるモノアゾ含金染料を２種含有し、それらのモノアゾ含金染料の色相がそれぞれ赤色及び黄色である請求項１記載のレーザー光透過性着色樹脂組成物用黒色着色剤。
【請求項５】
上記式（１）乃至（３）で表されるアントラキノン系造塩染料の色相が青色である請求項１乃至４の何れかに記載のレーザー光透過性着色樹脂組成物用黒色着色剤。
【請求項６】
上記式（１）乃至（３）で表されるアントラキノン系造塩染料の色相が紫色である請求項１乃至４の何れかに記載のレーザー光透過性着色樹脂組成物用黒色着色剤。
【請求項７】
上記式（１）乃至（３）で表されるアントラキノン系造塩染料の色相が緑色である請求項１乃至４の何れかに記載のレーザー光透過性着色樹脂組成物用黒色着色剤。
【請求項８】
上記式（１）で表されるアントラキノン系染料を２種含有し、それらのアントラキノン系染料の色相がそれぞれ青色及び緑色である請求項１乃至４の何れかに記載のレーザー光透過性着色樹脂組成物用黒色着色剤。
【請求項９】
上記式（１）における［ｌ］ｂ＋、上記式（２）における（Ｆ）ｈ＋、及び上記式（３）における［ｔ］Ｚ＋が、下記式（４−ａ）又は（４−ｂ）で表されるカチオンである請求項１乃至８の何れかに記載のレーザー光透過性着色樹脂組成物用黒色着色剤。
2002228830.tif 000030
【化７】
・・・（４−ａ）
［式（４−ａ）中、
Ｒ４０及びＲ４１は、互いに独立的に、Ｎ＋Ｈ３又はＮＨ２を示し、Ｒ４０及びＲ４１は少なくとも１つがＮ＋Ｈ３を示すものであり、
ｎ２は、１乃至１２の整数を示す。］
【化８】
2002228830.tif 000031
・・・（４−ｂ）
［式（４−ｂ）中、
Ｒ４２、Ｒ４３、及びＲ４４は、互いに独立的に、炭素数１乃至１８のアルキル基、又はアリール基を示し、
Ｒ４５は、置換若しくは非置換のアリール基又はベンジル基を示す。］
【請求項１０】
上記式（１）乃至（３）のアントラキノン系造塩染料が難水溶性染料である請求項１乃至９の何れかに記載のレーザー光透過性着色樹脂組成物用黒色着色剤。
【請求項１１】
含有する無機塩が２重量％以下である請求項１乃至１０の何れかに記載のレーザー光透過性着色樹脂組成物用黒色着色剤。
【請求項１２】
上記アントラキノン系造塩染料における波長９５０ｎｍのレーザー光の透過率であるＴ９５０ｎｍと波長１０５０ｎｍのレーザー光の透過率であるＴ１０５０ｎｍとの比であるＴ９５０ｎｍ／Ｔ１０５０ｎｍが、０．９乃至１．１である請求項１乃至１１の何れかに記載のレーザー光透過性着色樹脂組成物用黒色着色剤。
【請求項１３】
上記アントラキノン系造塩染料が、熱分析において２００℃と３００℃の間に発熱ピーク及び吸熱ピ−クの何れも示さない請求項１乃至１２の何れかに記載のレーザー光透過性着色樹脂組成物用黒色着色剤。
【請求項１４】
上記アントラキノン系造塩染料が、熱分析において３３０℃以上の分解温度を示す請求項１乃至１３の何れかに記載のレーザー光透過性着色樹脂組成物用黒色着色剤。
【請求項１５】
請求項１乃至１４の何れかに記載のレーザー光透過性着色樹脂組成物用黒色着色剤により熱可塑性樹脂が着色されてなるレーザー光透過性着色樹脂組成物。
【請求項１６】
レーザー光透過性着色樹脂組成物用黒色着色剤により着色されてなる上記熱可塑性樹脂における波長９５０ｎｍのレーザー光の透過率であるＴ着色樹脂と、非着色の前記と同一の熱可塑性樹脂における波長９５０ｎｍのレーザー光の透過率であるＴ非着色樹脂との比であるＴ着色樹脂／Ｔ非着色樹脂が、０．８乃至１．２である請求項１５記載のレーザー光透過性着色樹脂組成物。
【請求項１７】
波長９５０ｎｍのレーザー光の透過率であるＴ９５０ｎｍと波長１０５０ｎｍのレーザー光の透過率であるＴ１０５０ｎｍとの比であるＴ９５０ｎｍ／Ｔ１０５０ｎｍが、０．９乃至１．２である請求項１５又は１６記載のレーザー光透過性着色樹脂組成物。
【請求項１８】
熱可塑性樹脂が、ポリプロピレン系樹脂、ポリエチレン系樹脂、ポリエステル系樹脂、ポリアミド系樹脂、及びポリカーボネート系樹脂からなる群から選ばれた少なくとも１つの樹脂である請求項１５乃至１７の何れかに記載のレーザー光透過性着色樹脂組成物。
【請求項１９】
請求項１５乃至１８の何れかに記載のレーザー光透過性着色樹脂組成物からなるレーザー光透過性カラーフィルター。
【請求項２０】
請求項１５乃至１８の何れかに記載のレーザー光透過性着色樹脂組成物からなるレーザー光透過性カラーフィルム。